(57)【要約】【課題】    特色を用いたＮ色印刷シミュレーションを行うときなどに、特色の設定を簡単にかつ的確に行うことができるようにする。【解決手段】  クライアント端末では、Ｎ色印刷シミュレーションを設定するときに、特色への置換が可能となる。このときの特色を選択するときには、指定色の色情報と許容範囲を送信して、該当する特色のリストを要求する（ステップ１００〜１０８）。プリントサーバでは、特色のリストが要求されると、データベースから指定色に対して許容範囲の特色を抽出し、抽出した特色のリストを出力する（ステップ１３０〜１３４）。クライアント端末では、このリストを表示し、このリストから特色を選択することにより、該当する特色名が入力される（ステップ１１０〜１１８）。【選択図】        図３  
2005268930.tif 000002
【特許請求の範囲】
【請求項１】
プロセスカラーの何れかの色版に対して、置換色を設定して印刷処理を行うときに、置換色としてプロセスカラーと異なる特色を設定する印刷設定方法であって、
特色を特定する特性値及び特色名を含む色情報に基づいた特色のデータベースを形成しておき、
前記特色を選択するときに、前記データベースから、基準とする特性値と該特性値の許容範囲から該当する特色を抽出して、
抽出した特色名のリストを表示すると共に該リストから前記特色を選択可能とし、
前記リストから選択した特色を前記置換色に設定することを特徴とする印刷設定方法。
【請求項２】
前記基準とする色の位置をカラーパレット上で選択することにより、基準とする特性値を選択可能としていることを特徴とする請求項１に記載の印刷設定方法。
【請求項３】
前記リストから前記特色を選択することにより、前記カラーパレット上の指定位置が、選択した特色の色情報に基づいた位置となることを特徴とする請求項２に記載の印刷設定方法。
【請求項４】
前記基準とする特性値に対する許容範囲を変更可能としていることを特徴とする請求項１から請求項３の何れか１項に記載の印刷設定方法。
【請求項５】
前記色情報を指定して、前記許容範囲と共に指定した色情報に基づいた特色の抽出を行うことを特徴とする請求項１から請求項４の何れか１項に記載の印刷設定方法。
【発明の詳細な説明】
【技術分野】
【０００１】
本発明は、プロセスカラーとは異なる色である特色を用いた印刷シミュレーションが可能な画像処理装置に係り、詳細には、特色を用いた印刷シミュレーションを行うときの印刷設定方法に関する。
【背景技術】
【０００２】
ＤＴＰ（Desktop Publishing）においては、パーソナルコンピュータやワークステーション等の処理装置上で、画像の作成、加工、編集等を行うことによりページレイアウトを作成し、このページレイアウトに基づいて印刷版を露光するためのフィルムの作成を行ったり（ＣＥＰＳ）、印刷版に直接書き込んで印刷用の刷版を作成する（ＣＴＰ：Computer to Plate）。
【０００３】
また、実際の刷版を用いた印刷に先立って校正等を行うときには、ＷＹＳＩＷＹＧ機能等を用いて、モニタに表示したページレイアウトを、ページプリンタ等の印刷出力装置によって印刷出力する（カンプ出力）。
【０００４】
一方、通常のカラー印刷では、シアン、マゼンタ、イエロー及びブラックの４色（プロセスカラー）を用いて行われるが、必要に応じてプロセスカラーと異なる色（以下、「特色」とする）のインクを使用して行われることがある。また、近年、印刷コストを抑えるために、２色印刷などが行われることがある。このとき、プロセスカラーの中の１色と特色が用いられたり、２色を特色とすることにより、特殊効果を得るようにすることがある。
【０００５】
ところで、特色を用いたカンプ出力を得るための２色印刷シミュレーションを行うときに、プロセスカラーでの印刷出力しか得られないと、実際の印刷物がどのような仕上がりになるのかの確認が困難となる。
【０００６】
ここから、２色印刷で使用する予定の特色インクを使用して実際に刷版を用いてカラーチャートの印刷を行い、このカラーチャートを測定することにより特色用のプロファイル（ＣＭＹＫ−Ｌ*ａ*ｂ*のルックアップテーブル）を作成し、この特色用のプロファイルと、プリンタ用のプロファイル（Ｌ*ａ*ｂ*−Ｃ’Ｍ’Ｙ’Ｋ’のルックアップテーブル）を使用して、カラーマネージメント機能を用いたＣＭＹＫ−Ｃ’Ｍ’Ｙ’Ｋ’変換を実現することにより特色印刷のシミュレーションを行う方法が提案されている（例えば、特許文献１参照。）。
【０００７】
また、特願２００３−７１４８４号では、例えばＣ、Ｍ、Ｙ、Ｋの何れか２色を用いて作成されているドキュメントの各色を、所望のインクの色（特色）に置き換えてカラーカンプ出力する方法を提案している。
【０００８】
しかしながら、特色は、複数のインキメーカーのそれぞれから、数百種類から数千種類ずつ製造されており、印刷シミュレーションを行う特色を割り当てるときには、そのメーカー名や特色名などをテキスト入力する必要がある。
【０００９】
このために、スペルミスなどの入力ミスが生じると、所望の色を用いた印刷シミュレーションを実行することができなくなる。また、特色名をテキスト入力するためには、各特色の色味と共に、その特色名を予め把握しておかなければならないという問題がある。
【００１０】
また、予め把握している特色を用いたときに、想定している結果が得られないときには、近似した特色を探す必要があり、実際の作業は容易なものではない。
【００１１】
一方、予め設定されている特色のリストから特色名を選択する方法もあるが、このリストは、メーカー別に名前順に表示されるため、色味を明確に判断することができず、また、リストがインキメーカー別となっているために、異なるメーカーの間から所望の特色の選択をする作業が難しくなっている。
【特許文献１】特開２０００−６２２５３号公報
【発明の開示】
【発明が解決しようとする課題】
【００１２】
本発明は上記事実に鑑みてなされたものであり、特色の用いた印刷シミュレーションを行うときに、特色の選択及び入力を容易にかつ的確に行うことができる印刷設定方法を提案することを目的とする。
【課題を解決するための手段】
【００１３】
上記目的を達成するために本発明は、プロセスカラーの何れかの色版に対して、置換色を設定して印刷処理を行うときに、置換色としてプロセスカラーと異なる特色を設定する印刷設定方法であって、特色を特定する特性値及び特色名を含む色情報に基づいた特色のデータベースを形成しておき、前記特色を選択するときに、前記データベースから、基準とする特性値と該特性値の許容範囲から該当する特色を抽出して、抽出した特色名のリストを表示すると共に該リストから前記特色を選択可能とし、前記リストから選択した特色を前記置換色に設定することを特徴とする。
【００１４】
この発明によれば、特色の色名（特色名）、Ｌ*ａ*ｂ*値などの特性値を含む色情報を特色ごとに作成して、データベース化する。特色を選択するときには、基準となる特性値と共に特性値の許容範囲を設定して、この許容範囲に該当する特色名を抽出し、抽出した特色名をリスト表示する。
【００１５】
特色を設定するときには、リスト表示した特色名から所望の特色を選択することにより、選択した特色名が、置換色に設定される。
【００１６】
これにより、特色名が明確でなくとも、簡単にかつ的確に所望の特色を置換色に設定することができる。
【００１７】
また、本発明においては、前記基準とする色の位置をカラーパレット上で選択することにより、基準とする特性値を選択可能とすることを特徴する。
【００１８】
この発明によれば、カラーパレットを用いることにより、視覚的に特色の選択が可能となる。このようなカラーパレットとしては、特性値として例えばＬ*ａ*ｂ*値を用いるときには、選択位置とＬ*ａ*ｂ*値との対応情報をもつものを用いることができる。
【００１９】
また、カラーパレットを用いるときには、前記リストから前記特色を選択することにより、前記カラーパレット上の指定位置が、選択した特色の特性値に基づいた位置となるようにすることも可能である。
【００２０】
なお、基準とする特性値の設定は、特性値がＬ*ａ*ｂ*値などの数値で表されるときには、その数値を入力するものであっても良く、また、スキャナや測色機等を用いて検出ないし測定した特性値を用いることもできる。このときには、特性値を入力する入力手段を予め設定しておくことにより可能となる。さらに、特性値としてはＬ*ａ*ｂ*値に限らず、ＣＭＹＫ値、ＸＹＺ値、ＲＧＢ値などを用いることができ、そのときには、１００％濃度の値だけでなく、５％刻みや２５％刻みなどで濃度を変化させた値を持つようにしても良い。
【００２１】
これにより、表示している特色のリストから簡単にかつ正確に基準とする特性値を再設定することができる。なお、基準値を再設定した時には、その基準値に基づいて、再度、データベースから特色を抽出してリスト表示するものであれば良い。
【００２２】
このような本発明においては、前記基準とする特性値に対する許容範囲を変更可能とすることが好ましく、これにより、許容範囲の拡幅が容易であり、リストに表示する特色名の削減は追加を、容易にかつ的確に行うことができる。
【００２３】
さらに、本発明においては、前記色情報を指定して、前記許容範囲と共に指定した色情報に基づいた特色の抽出を行うことが好ましい。
【００２４】
これにより、例えば、特色のインキを製造しているメーカー名などを色情報に含ませることにより、メーカー別で特色のリスト表示を行うことができる。
【発明の効果】
【００２５】
以上説明したように本発明によれば、特性値及び特色名を含む色情報に基づいて特色のデータベースを設け、このデータベースから特性値と許容範囲に基づいて、抽出した特色のリストを表示し、このリストから特色名を選択可能とすることにより、所望の色を簡単にかつ的確に選択して色置換処理などのシミュレーションを行うことができるという優れた効果が得られる。
【発明を実施するための最良の形態】
【００２６】
以下、図面を参照しながら本発明の実施の形態を説明する。図１には、本実施の形態に適用したネットワーク１０の概略構成を示している。このネットワーク１０は、画像処理装置として設けられているプリントサーバ１２と、画像処理端末として設けられている複数のクライアント端末１４とが、通信回線１６を介してネットワーク接続されている。
【００２７】
また、プリントサーバ１２には、印刷出力装置としてプリンタ１８が接続されており、プリントサーバ１２は、クライアント端末１４から出力される印刷ジョブを受信すると、プリンタ１８を用いて印刷ジョブに応じた印刷出力を行う。
【００２８】
なお、以下では、画像処理装置をプリントサーバとして用いて説明するが、本発明の画像処理装置は、これに限らずクライアント端末１４とネットワーク接続されたファイルサーバ等の各種の中間サーバに設けて画像処理を行なうものであっても良い。また、プリンタ１８に限らず、印刷用の刷版を作成するために画像データに基づいて感光性平版印刷版等を直接露光するプレートセッターや、感光性平版印刷版への画像焼付（露光）に用いる原稿フィルムを露光する露光装置等を接続することもできる。
【００２９】
プリントサーバ１２及びクライアント端末１４には、ネットワークインターフェイス（ネットワークＩ／Ｆ）２０、２２が設けられており、このネットワークＩ／Ｆ２０、２２を介してそれぞれが通信回線１６に接続している。また、プリントサーバ１２は、双方向インターフェイス（双方向Ｉ／Ｆ）２４を備えており、この双方向Ｉ／Ｆ２４を介してプリンタ１８に接続している。
【００３０】
なお、プリントサーバ１２に接続するプリンタ１８は複数でも良く、使用する双方向Ｉ／Ｆ２４も複数ないし複数種類でも良い。また、複数のクライアント端末１４とプリントサーバ１２のネットワーク接続は、任意のネットワークプロトコルを適用することができる。
【００３１】
このようなプリントサーバ１２は、パーソナルコンピュータ（ＰＣ）に所定の機能を備えたＰＣＩボードを追加するなどして構成することができる。また、プリントサーバ１２は、キーボード、マウス等の入力デバイスやＣＲＴディスプレイやＬＣＤディスプレイ等の表示デバイスを備えており、表示デバイスに表示した画像に対する処理及び表示画像を印刷出力するＷＹＳＩＷＹＧ機能を備えたものであっても良い。
【００３２】
プリントサーバ１２には、プリントサーバ１２自体と共にプリンタ１８を制御するプリントコントローラ２６、画像処理部２８及び各種のデータを記憶する記憶手段とするＨＤＤ３０が設けられている。画像処理部２８は、クライアント端末１４から印刷ジョブとして入力される画像データや描画命令などのジョブデータに基づいてラスタデータを生成するＲＩＰ処理を行なう。
【００３３】
なお、プリントサーバ１２では、入力された印刷ジョブを処理待ちキューに格納すると共に、処理待ちキューに格納している印刷ジョブを順に読み出して、画像処理（ＲＩＰ処理）を実行し、画像処理されてプリンタ１８へ出力されるデータ（ラスタデータ）を印刷待ちキューに格納して、この印刷待ちキューからプリンタ１８へ順に出力する。また、プリントサーバ１２では、印刷処理が指定されていないか印刷処理の実行ができないジョブを保持キューに格納して保持する一般的構成となっている。このようなプリントサーバ１２は、従来公知の種々の構成を用いることができ、本実施の形態では、詳細な説明を省略する。
【００３４】
一方、クライアント端末１４は、ＤＴＰアプリケーション（以下、アプリケーション３２とする）を備えており、このアプリケーション３２を用いて、画像や文書の作成、加工、編集等の画像処理等を行ってページレイアウトなどの刷版を用いた印刷用の画像データ又は描画命令（以下、画像データとする）の作成が可能となっている。
【００３５】
また、クライアント端末１４は、プリンタドライバ（ドライバソフト）３４が設けられており、このプリンタドライバ３４を介して、アプリケーション３２等によって作成したページレイアウトなどの画像データと各種の処理指示を含むジョブ（印刷ジョブ）をプリントサーバ１２へ送信可能となっている。このとき、プリンタドライバ３４によって各種の印刷機能の設定が可能となっている。
【００３６】
また、クライアント端末１４では、このプリンタドライバ３４を用いることにより、プリントサーバ１２に対する各種の設定等が可能となっている。
【００３７】
プリントサーバ１２には、印刷機能設定部３６が設けられており、印刷ジョブ等のジョブを受信すると、印刷ジョブで指定されている各種の印刷機能の設定を行う。なお、プリントサーバ１２では、従来公知の印刷機能の設定が可能となっており、印刷機能設定部３６では、印刷ジョブで指定されている印刷機能を判断し、それぞれの印刷機能をプリントコントローラ２６及び画像処理部２８で実行されるように設定するが、本実施の形態では、詳細な説明を省略する。
【００３８】
一方、プリントサーバ１２には、色置換処理部３８が設けられている。この色置換処理部３８では、色指定されている画像や文字等の描画オブジェクトに対して、指定色の置き換えが設定されているときに、設定に基づいて色置換を行う。
【００３９】
また、プリントサーバ１２には、記憶手段として設けられているＨＤＤ３０に、シアン（Ｃ）、マゼンタ（Ｍ）、イエロー（Ｙ）、ブラック（Ｋ）のプロセスカラーと別に、予め設定されている特色ごとのＬ*ａ*ｂ*値と、このＬ*ａ*ｂ*値をＣＭＹＫ値に変換するテーブル（プロファイル）が記憶されている。
【００４０】
色置換処理部３８では、プロセスカラーの何れかの色版に対して、特色への色置換が指定されていると、ＨＤＤ３６に記憶されている該当する特色のＬ*ａ*ｂ*値とこのＬ*ａ*ｂ*値をＣＭＹＫ値に変換するルックアップテーブル（ＬＵＴ）として参照し、色情報の更新（置換）を行い、新たな色情報を生成するようにしている。すなわち、色置換が指定された色版を除いたＣＭＹＫ値に、色置換が指定されている特色のＣＭＹＫ値を合成することにより、新たな色情報（ＣＭＹＫ値）を生成する。
【００４１】
これにより、例えばプロセスカラーのうちの何れか２色を用いた２色印刷用の画像データや文書データを作成したときに、さらに、そのうちの１色又は２色を、プロセスカラーとは異なる特色を用いて印刷出力することができるようにしている。
【００４２】
すなわち、刷版を用いて印刷出力するときに、プロセスカラーと異なるインクを用いた印刷処理を行ったときのシミュレーションが可能となるようにしている。
【００４３】
この色置換処理は、例えば、画像処理部２８に設けている図示しないメモリ上にＣＭＹＫ出力用領域と、ＣＭＹＫ色補正用領域を形成し、印刷ジョブ上の画像（画像オブジェクト）に対する画像処理を行うとき、特色のＣＭＹＫ値（Ｌ*ａ*ｂ*値から変換したＣＭＹＫ値）をＣＭＹＫ出力用領域に格納する。
【００４４】
また、該当する画像オブジェクト上で使用されるプロセスカラーのＣＭＹＫ値は、ＣＭＹＫ色補正用領域に格納し、ＣＭＹＫ色補正領域に格納しているＣＭＹＫ値に対して、色補正を行った後に、補正したＣＭＹＫ値をＣＭＹＫ出力用領域に格納しているＣＭＹＫ値に合成することにより、該当する描画オブジェクトに対する新たな色情報を生成して出力するようにしている。
【００４５】
プリントサーバ１２では、このような色置換処理部３８が設けられていることにより、特色を用いたＮ色印刷シミュレーションが可能となっている。なお、色置換処理は、任意の構成を適用でき本実施の形態では、詳細な説明を省略する。
【００４６】
クライアント端末１４に設けているプリンタドライバ３４には、プリントサーバ１２の機能として備えているＮ色印刷シミュレーションの設定が可能となっており、このためのユーザーインターフェイス（ＵＩ）が設定されている。
【００４７】
これにより、クライアント端末１４では、ユーザーインターフェイスを用いて、簡単に２色印刷シミュレーションなどのＮ色印刷シミュレーションの設定が可能となっている。
【００４８】
ところで、プリントサーバ１２には、特色管理部４０が形成されており、また、ＨＤＤ３０には、特色管理部４０で管理する特色のデータベース４２が格納されている。データベース４２には、多数の特色名が登録されており、特色名ごとに製造メーカー（メーカー名）及びＬ*ａ*ｂ*値が記憶されている。
【００４９】
これにより、プリントサーバ１２では、特色が指定されて２色印刷シミュレーションが設定されていると、指定された特色名のＬ*ａ*ｂ*値を読み出して、色置換処理を行うことができるようになっている。
【００５０】
一方、クライアント端末１４では、プリンタドライバ３４を用いて特色への色置換を行うときに、カラーパレットを表示可能となっている。図２には、カラーパレット４６の一例を示している。このカラーパレット４６は、指定可能な位置ごとのＬ*ａ*ｂ*値の対応情報であるＬ*ａ*ｂ*値対応情報をもっている。なお、カラーパレット４６は、一例を示すものであり、本発明のカラーパレットの構成を限定するものではなく、本発明のカラーパレットは、表示色と表示色に対応する色情報をもつものであれば任意の構成を適用することができる。
【００５１】
これにより、クライアント端末１４では、Ｌ*ａ*ｂ*値からその色に最も近い色をカラーパレット４６のＬ*ａ*ｂ*値対応情報から検索して、カラーパレット４６上に表示可能となっている。
【００５２】
クライアント端末１４に設けられているプリンタドライバ３４では、カラーパレット４６上で、例えばポインタ４８によって指定した色のＬ*ａ*ｂ*値と、Ｌ*値、ａ*値及びｂ*値の許容範囲ないし製造メーカーを指定して、その許容範囲内のＬ*ａ*ｂ*値の特色のリストを要求する。
【００５３】
プリントサーバ１２の特色管理部４０では、クライアント端末１４から特色のリストが要求されると、データベース４４から該当する特色を抽出して、クライアント端末１４へ送信する。
【００５４】
これにより、クライアント端末１４では、カラーパレット４６上での色指定の操作によって、該当する色及びその色に近似する特色のリストを表示可能となっている。
【００５５】
また、クライアント端末１４では、表示された特色のリストから特色名を選択することにより、選択した特色名の特色を用いた印刷シミュレーションを設定することができるようになっている。
【００５６】
このように構成されているプリントサーバ１２では、クライアント端末１４で、アプリケーション３２を用いて作成、加工、編集等の処理が行われた画像データないし描画命令が印刷ジョブとして送信され、この印刷ジョブを受信すると、受信した印刷ジョブに基づいた画像処理ないし印刷処理を実行する。
【００５７】
プリントサーバ１２では、印刷ジョブを受信すると、印刷機能設定部３６で、印刷機能の読み込み及び設定を行う。また、画像処理部２８では、印刷ジョブの画像データに対して、設定された印刷機能に基づいた画像処理及びラスタデータを生成するＲＩＰ処理を行う。
【００５８】
画像処理部２８で生成されたラスタデータは、所定のタイミングでプリンタ１８へ出力され、プリンタ１８で印刷ジョブに基づいた印刷出力が行われる。
【００５９】
ところで、プリントサーバ１２では、印刷機能としてＮ色印刷シミュレーションが可能となっている。また、Ｎ色印刷シミュレーションを行うときに、特色の指定が可能となっており、特色を用いたＮ色印刷シミュレーションが可能となっている。
【００６０】
ここで、図３乃至図６を参照しながら、特色を用いた色置換、Ｎ色印刷シミュレーションを説明する。
【００６１】
プリントサーバ１２でＮ色印刷シミュレーションを行うときには、クライアント端末１４上で、ユーザーインターフェイス（ＵＩ）を用いて、使用する版色を設定する。例えば、Ｃ版、Ｍ版、Ｙ版、Ｋ版の画像があるときに、使用する色版を設定し、必要に応じて、その色版を描画するときの色をプロセスカラーまたは、特色で指定することができる。
【００６２】
図３（Ａ）には、Ｎ色印刷シミュレーションを行うときのクライアント端末１４での印刷設定の概略を示している。このフローチャートは、Ｎ色印刷シミュレーションを設定するときに実行され、ステップ１００では、Ｎ色印刷シミュレーションの設定に用いる印刷設定ダイアログを表示する。
【００６３】
図４（Ａ）及び図４（Ｂ）には、クライアント端末１４上で、Ｎ色印刷シミュレーションを設定するときのユーザーインターフェイス一例とする設定ダイアログ５０の要部を示している。図４（Ａ）に示すように、この設定ダイアログ５０では、チェックボックス５２によってＮ色印刷シミュレーションを行うか否かの設定が可能となっている。また、チェックボックス５２をチェックしてＮ色印刷シミュレーションを行うように設定すると、Ｃ版、Ｍ版、Ｙ版及びＫ版のそれぞれに対して設けられているチェックボックス５４Ｃ、５４Ｍ、５４Ｙ、５４Ｋ（総称するときは、チェックボックス５４とする）のチェックが可能となる。
【００６４】
ここで、設定ダイアログ５０では、例えば、Ｃ版及びＭ版のチェックボックス５４Ｃ、５４Ｍをチェックすることにより、Ｃ版とＭ版を用いた２色印刷シミュレーションが設定される。
【００６５】
また、設定ダイアログ５０には、Ｃ版、Ｍ版、Ｙ版及びＫ版のそれぞれに対して、入力ボックス５６Ｃ、５６Ｍ、５６Ｙ、５６Ｋ（総称するときは、入力ボックス５６とする）及び色選択ボタン５８Ｃ、５８Ｍ、５８Ｙ、５８Ｋ（総称するときは、色選択ボタン５８とする）が設けられており、チェックボックス５４をチェックすることにより該当する色版に対する入力ボックス５６への文字入力（テキスト入力）及び色選択ボタン５８の操作が可能となる。
【００６６】
設定ダイアログ５０では、入力ボックス５６に特色名を入力することにより、入力した色名（特色名）の特色を用いたＮ色印刷シミュレーションの設定が可能となる。
【００６７】
一方、設定ダイアログ５０では、色選択ボタン５８を操作することにより、プリントサーバ１２のデータベース４４に格納している特色のリストを表示し、その表示したリストから選択した特色の色名を、入力ボックス５６に入力することができる。
【００６８】
色選択ボタン５８には、選択されている色がデフォルト値として表示されている。すなわち、置換色を指定していない状態では、Ｃ版、Ｍ版、Ｙ版及びＫ版のそれぞれの色選択ボタン５８Ｃ、５８Ｍ、５８Ｙ、５８Ｋには、Ｃ色、Ｍ色、Ｙ色及びＫ色が表示されている。
【００６９】
クライアント端末１４では、設定ダイアログ５０の色選択ボタン５８を操作することにより、該当する色版に対する置換色の選択が可能となる。
【００７０】
図３（Ａ）では、ステップ１０２でＮ色印刷シミュレーションを設定するか否かを確認し、ステップ１０４では、特色選択を行うかを確認する。
【００７１】
これにより、印刷設定ダイアログ５０上でチェックボックス５２がチェックされ、さらに、チェックボックス５４の何れか少なくとも１つがチェックされることにより、ステップ１０２で肯定判定され、Ｎ色印刷シミュレーションが設定される。また、色選択ボタン５８が操作されることにより、ステップ１０４で肯定判定されて特色選択を行う。
【００７２】
特色選択は、クライアント端末１４でユーザーインターフェイスを用いて行う。図５（Ａ）、図５（Ｂ）、図６（Ａ）及び図６（Ｂ）には、置換色の選択に用いるユーザーインターフェイスの一例として特色選択ダイアログ６０を示している。図５（Ａ）に示すように、この特色選択ダイアログ６０には、カラーパレット４６が表示され、このカラーパレット４６上で、ポインタ４８によってデフォルト値の色が明示されている。
【００７３】
また、特色選択ダイアログ６０には、リスト表示エリア６２と共に、特色のメーカー指定を入力する入力ボックス６４及び、Ｌ*値、ａ*値及びｂ*値の許容範囲の入力用となるスライドバー６６が設けられている。
【００７４】
特色選択ダイアログ６０では、メーカー名及び許容範囲のデフォルト値が設定されており、特色選択ダイアログ６０を開くことにより、指定された色と、許容範囲のデフォルト値に基づいた特色のリストがリスト表示エリア６２に表示される。
【００７５】
クライアント端末１４のプリンタドライバ３４では、特色選択ダイアログ６０を表示するときに、指定色と許容範囲のデフォルト値に基づいた特色のリストを要求する。
【００７６】
すなわち、図３（Ａ）に示すように、ステップ１０４で肯定判定してステップ１０６へ移行することにより、先ず、特色選択ダイアログ６０を表示する。この後に、ステップ１０８では、プリントサーバ１２へ特色のリストを要求し、特色のリストを取得すると、ステップ１１０へ移行して、特色選択ダイアログ６０内のリスト表示エリアに、取得した得色のリストを表示する。
【００７７】
図３（Ｂ）には、クライアント端末１４での特色選択に対するプリントサーバ１２での処理の概略を示している。このフローチャートでは、最初のステップ１３０で、特色のリスト出力が要求されたか否かを確認し、特色のリストの要求があると、ステップ１３０で肯定判定してステップ１３２へ移行する。
【００７８】
このステップ１３２では、特色管理部４０がクライアント端末１４で指定された条件の特色名を、データベースから抽出する。次のステップ１３４では、抽出した特色名のリストをクライアント端末１４へ出力する。
【００７９】
すなわち、プリントサーバ１２では、特色管理部４０で、指定色と設定されている許容範囲（最初は、何れもデフォルト値）に基づいて特色の抽出を行い、抽出結果を特色のリストとしてクライアント端末１４へ出力する。
【００８０】
これにより、クライアント端末１４では、特色選択ダイアログ６０を開いた後に（図３（Ａ）のステップ１０６）、所定の特色のリストが特色選択ダイアログ６０のリスト表示エリア６２に表示される。
【００８１】
なお、図５（Ａ）では、図４（Ａ）の設定ダイアログ５０上で、Ｃ版に対する色選択ボタン５８Ｃを操作したときの表示を示しており、これにより、図５（Ａ）に示す特色選択ダイアログ６０では、リスト表示エリア６２に、Ｃ（シアン：ＣＹＡＮ）と共に、Ｃに近似する特色名のリストが表示される。このときに、指定色であるＣの欄が色付けされて表示される。
【００８２】
図３（Ａ）のフローチャートでは、特色選択ダイアログ６０のリスト表示エリア６２に特色のリストを表示すると、ステップ１１２で指定色の変更がなされたかを確認し、ステップ１１４では、許容範囲の変更などの絞込みがなされたか否かを確認する。
【００８３】
図５（Ａ）に示す特色選択ダイアログ６０では、カラーパレット４６上でポインタ４８を所望の色に合わせることにより、該当する色（プロセスカラーまたは特色）のＬ*ａ*ｂ*値とのズレ量が、スライドバー６６で指定された許容範囲にある特色のリストをリスト表示エリア６２に表示する。
【００８４】
ここから、クライアント端末１４では、指定色が変更されると、変更した指定色に応じたリストを要求する。すなわち、図３（Ａ）のステップ１１２で肯定判定して、ステップ１０８へ移行する。
【００８５】
プリントサーバ１２では、この指定された色（指定色）に基づいた特色を抽出して、クライアント端末１４へ出力する。これにより、クライアント端末１４では、特色選択ダイアログ６０のリスト表示エリア６２に、抽出された特色のリストが表示（更新表示）される（図３（Ａ）のステップ１１０）。
【００８６】
図５（Ｂ）には、カラーパレット４６上で色指定を変更したときの、特色選択ダイアログ６０の表示例を示しており、ポインタ４８によって指定された色または最も近似する色に相当する特色が色付けされて表示されると共に、その特色の許容範囲内の近似色がリスト表示される。
【００８７】
一方、特色選択ダイアログ６０では、リスト表示エリア６２に表示するリストの絞込みを行うことができる。この絞込みには、メーカー指定と許容範囲を用いる。なお、メーカー名のデフォルト値は、全てのメーカー（ａｌｌ）としている。
【００８８】
製造メーカを用いた絞り込みを行うときには、色選択ダイアログ６０の入力ボックス６４に、指定するメーカー名を入力する。このメーカーの入力は、データベース４４に登録されているメーカー名のリストをプルダウンメニューなどによって表示して、表示したリストから選択するなどの任意の方法を用いることができる。
【００８９】
特色選択ダイアログ６０でメーカー名が指定されると、図３（Ａ）に示すフローチャートでは、ステップ１１４で肯定判定してステップ１０８へ移行し、変更された条件に基づいた特色のリストを要求する。
【００９０】
プリントサーバ１２に設けている特色管理部４０では、メーカー名が指定されることにより、既に抽出している特色から、該当するメーカーの特色を抽出して、クライアント端末１４へ出力する。
【００９１】
クライアント端末１４では、新たな特色のリストを受信することにより、ステップ１１０で受信したリストに基づく特色選択ダイアログ６０を表示する。
【００９２】
これにより、図６（Ａ）に示すように、特色選択ダイアログ６０のリスト表示エリア６２には、指定されたメーカーの特色のリストが表示される。なお、指定色に対する許容範囲が広げられたときにのみ、クライアント端末１４からリストを要求し、居９よう範囲が狭められたときには、クライアント端末１４内で現在、取得しているリストから絞込みを行うようにしても良い。
【００９３】
また、特色選択ダイアログ６０では、特色の絞込み条件として、Ｌ*値、ａ*値、ｂ*値の許容範囲の変更が可能となっている。Ｌ*値、ａ*値ないしｂ*値の許容範囲を変更するときには、スライドバー６６を用い、Ｌ*値、ａ*値及びｂ*値のそれぞれに対し許容範囲を設定することができる。なお、このときの許容範囲としては、Ｌ*値、ａ*値及びｂ*値の値が指定色に対するズレ量（％率など）を用いる。
【００９４】
ここで、Ｌ*値、ａ*値及びｂ*値のそれぞれの許容範囲を狭めるようにスライドバー６６が操作されると、図３（Ａ）のフローチャートでは、ステップ１１４で肯定判定して、ステップ１０８へ移行し、変更された許容条件を満たす特色のリストを要求する。
【００９５】
これに基づいたリストがプリントサーバ１２から提供されることにより、ステップ１１０へ移行して、新たなリストに基づいた特色選択ダイアログ６０を表示する。
【００９６】
図６（Ｂ）には、Ｌ*ａ*ｂ*値の許容範囲を狭める絞込み行ったときの特色選択ダイアログ６０を示している。なお、スライドバー６６では、許容範囲を広げることも可能であり、これにより、リスト表示エリア６２に表示される特色の数を増やし、特色の選択範囲を広げることができる。
【００９７】
特色選択ダイアログ６０では、このようにして絞込みを行うことにより、所望の色の候補を絞り込んで表示することができる。ここから、特色を設定するときには、リスト表示エリア６２に表示されている特色名から、設定する特色を選択して色付け表示に切換えた後、設定ボタン（ＯＫボタン６８）を操作する。
【００９８】
これにより、Ｎ色印刷シミュレーションを行うときの置換色となる特色を設定することができる。
【００９９】
図３（Ａ）に示すフローチャートでは、ステップ１１６で特色が設定されたか否かを確認し、特色が設定されるとステップ１１６で肯定判定してステップ１１８へ移行し、特色選択ダイアログ６０を閉じて、特色選択を終了する。これにより、クライアント端末１４では、設定ダイアログ５０が表示された状態となる。
【０１００】
図４（Ｂ）には、このときの表示例を示している。すなわち、図６（Ｂ）では、Ｃ版を置換する特色として「Ｄ１４９」が選択されており、この選択結果に基づいて特色が設定されることにより、図４（Ｂ）では、入力ボックス５６Ｃにこの特色名が入力されると共に、色選択ボタン５８Ｃの表示色が、選択された特色のものとなる。
【０１０１】
図３のフローチャートでは、設定された特色の特色名を入力した印刷設定ダイアログ５０を表示すると（ステップ１１８）、ステップ１２０へ移行して、印刷設定を終了するか否かを確認する。ここで、他の色版に対する置換色を設定するために、色選択ボタン５８が操作されると、ステップ１２０で否定判定してステップ１０２へ移行し、次の置換色に対する処理を行う。
【０１０２】
また、印刷設定ダイアログ５０の図示しない設定ボタンないしＯＫボタンを操作されることにより、ステップ１２０で肯定判定して、印刷設定を終了する。
【０１０３】
このように、クライアント端末１４では、特色を用いた色置換やＮ色印刷シミュレーションを行うときに、特色名を簡単にかつ的確に入力することができる。
【０１０４】
また、クライアント端末１４では、カラーパレット４６上で、指定した色を確認しながら、特色を選択することができる。このとき、近似色も併せて表示されるので、所望の色の特色を的確に選択することが可能となる。
【０１０５】
なお、以上説明した本実施の形態は、本発明を限定するものではない。例えば、本実施の形態では、特色を選択するときのユーザーインターフェイスとして特色選択ダイアログ６０を例に説明したが、任意の構成のユーザーインターフェイスを用いることができる。
【０１０６】
例えば、ユーザーインターフェイスとしては、複数の色版のそれぞれに対して特色の選択が可能となるようにしたものであっても良い。図７には、その一例として、二色分の色版に対して特色の選択が可能となるユーザーインターフェイスの一例とする特色選択ダイアログ７０を示している。
【０１０７】
この特色選択ダイアログ７０では、例えば、Ｃ版とＭ版などを用いた２色印刷シミュレーションが設定されるときに、置換色となる特色の選択を行うときに用いることができ、Ｃ版に対する特色選択部７２と、Ｍ版に対する特色選択部７４が同時に表示される。
【０１０８】
また、特色選択ダイアログ７０には、プレビュー表示部７６が設けられている。このプレビュー表示部７６では、Ｃ版に対する特色とＭ版に対する特色の濃度を互いに変化させて重ねたときのカラーパッチを表示している。
【０１０９】
このような特色選択ダイアログ７０を用いることにより、特色を用いた２色印刷シミュレーションなどを行ったときの仕上がり時の色合いを確認することができ、より的確な特色及び特色の組み合わせの選択が可能となる。
【０１１０】
このような特色選択ダイアログ７０では、プレビュー表示部７６に、予めユーザーが選択した画像を用いてカラーパッチを表示しても良く、また、カラーパッチに変えて、印刷処理を実行する画像のプレビュー画像を表示するようにしても良い。
【０１１１】
なお、以上説明した本実施の形態では、特色のリストの絞込み条件として許容範囲を用いたが、Ｌ*ａ*ｂ*値のズレの比率の範囲や、ＲＧＢ／ＣＭＹＫ値などの色の特性値のズレ量や比率の範囲を用いても良い。
【０１１２】
また、データベース４４には、特色ごとのインキの値段、納期、在庫の有無などを含めることにより、それらの情報を絞り込み条件として用いることもできる。さらに、特色ごとの色の印象を「落ち着いた」、「夏らしい」などの自然言語などに基づいて分類したデータベースを作成しておくことにより、それらをキーワードとしてリスト表示することも可能である。
【０１１３】
また、本実施の形態では、カラーパレット４６を用いて、基準とする色を指定するようにしたが、これに限らず、予め設定している代表的な色のリストを用いて基準色を指定しても良く、また、スキャナや測色器などを用いて色を入力しても良く、さらに、Ｌ*ａ*ｂ*値などの色の特性値を数値入力するなど、任意の構成を適用することができる。
【０１１４】
また、本実施の形態では、横方向を明度（Ｌ*値）とし、縦方向を色度（＝色相＋彩度）としたパレット４６を用いて説明したが、特性値としてＬ*ａ*ｂ*値を用いているときには、表示色とＬ*ａ*ｂ*値対応情報をもつものであれば、任意の構成のカラーパレットを用いることができる。
【０１１５】
また、カラーパレットとしては、代表色を表示し、表示している代表色を選択することにより、選択色と選択色の近似色を表示するものなど、任意の構成を用いることができる。
【０１１６】
さらに、本実施の形態では、特色選択ダイアログ６０のカラーパレット４６上をクリックすることにより、リスト表示エリア６２に表示している特色リストの自動変更を行うようにしているが、これに加えて、リスト表示エリア６２に表示している特色の何れかを指定（クリック）することにより、その色名を色付けして表示すると共に、その特色のＬ*ａ*ｂ*値に基づいてカラーパレット４６上のポインタ４８の自動移動を行って、選択した特色をカラーパレット４６上に表示すると共に、この色を指定色としてリスト表示エリア６２に表示する特色リストの更新が行われるものであっても良い。
【０１１７】
また、本実施の形態では、特性値としてＬ*ａ*ｂ*値を用いたが、これに限らず、色の特性を示すものであれば、ＣＭＹＫ値、ＸＹＺ値、ＲＧＢ値などの適用が可能であり、そのときには、濃度値１００％の値のみならず、５％刻みや２５％刻みなどで濃度を変化させた複数の値を持つようにしても良い。
【０１１８】
また、本実施の形態では、プリントサーバ１２に特色のデータベースを持たせたが、データベースは、何れかのクライアント端末１４に持たせても良く、インターネット等を介して接続可能なプリントサーバ１２のメーカや特色の製造メーカーなどのＷｅｂサーバーに持たせても良く、ネットワーク内に複数のプリントサーバがあるときには、データベースを特定のプリントサーバに持たせるが、任意のプリントサーバを用いて特色印刷が可能となるようにしても良い。
【０１１９】
なお、以上説明した本実施の形態は、本発明の一例を示すものであり、本発明の構成を限定するものではない。例えば、本実施の形態では、プリントサーバ１２を例に説明したが、本発明は、プリントサーバ１２に限らず、クライアント端末１４上で作成された画像データ又は描画命令に基づいた画像処理が可能となる任意の構成の画像処理装置に適用することができる。
また、本実施の形態では、印刷処理を行うときの特色の選択を例に説明したが、本発明は、これに限らず、ペンキ、絵の具などの塗料、色ペン、色鉛筆、糸、紙（折り紙、色紙など）、布、フィルム等の各種の色材などを選択するときにも使用することができる。
【図面の簡単な説明】
【０１２０】
【図１】本実施の形態に適用したネットワーク及びネットワークに設けるプリントサーバとクライアント端末の概略構成図である。
【図２】カラーパレットの一例を示す概略図である。
【図３】（Ａ）はクライアント端末での特色選択の一例を示す流れ図、（Ｂ）はプリントサーバでの特色抽出の概略を示す流れ図である。
【図４】（Ａ）及び（Ｂ）はユーザーインターフェイスの一例とする印刷設定ダイアログを示す概略図であり、（Ａ）はデフォルト値での表示を示し、（Ｂ）は特色を選択した時の表示を示している。
【図５】（Ａ）及び（Ｂ）はユーザーインターフェイスの一例とする特色選択ダイアログを示す概略図であり、（Ａ）はデフォルト値での表示を示し、（Ｂ）は指定色を変更したときの表示を示している。
【図６】（Ａ）及び（Ｂ）はユーザーインターフェイスの一例とする特色選択ダイアログを示す概略図であり、（Ａ）はメーカ名を指定したときの表示を示し、（Ｂ）は許容範囲を変更したときの表示を示している。
【図７】ユーザーインターフェイスの他の一例を示す特色選択ダイアログの概略図である。
【符号の説明】
【０１２１】
１０    ネットワーク
１２    プリントサーバ
１４    クライアント端末
２８    画像処理部
３８    色置換処理部
４０    特色管理部
４２    データベース
４６    カラーパレット
４８    ポインタ
５０    印刷設定ダイアログ
６０、７０    特色選択ダイアログ
６２    リスト表示エリア
６４    入力ボックス
６６    スライドバー
【図１】
2005268930.tif 000003
【図３】
2005268930.tif 000004
【図４】
2005268930.tif 000005
【図２】
2005268930.tif 000006
【図５】
2005268930.tif 000007
【図６】
2005268930.tif 000008
【図７】
2005268930.tif 000009